(57)【特許請求の範囲】
【請求項１】
プロトコル上で受信能力宣言を行うファクシミリ装置において、
セットされている記録紙の種類を検知する手段と、
該検知された記録紙の種類の縦、横逆方向を含めて受信可能な記録紙サイズとする受信能力データを作成する手段と、
プロトコル中に前記受信能力データを取り込み、受信能力宣言を行う手段とを具備したことを特徴とするファクシミリ装置。
【請求項２】
請求項１記載のファクシミリ装置において、
受信した画像データの方向とセットされている記録紙の方向が一致しているか否かを判断する手段と、
不一致であると判断された時に、前記画像データを９０°回転する手段と、
該画像データを記録紙に記録する手段とを具備したことを特徴とするファクシミリ装置。
【発明の詳細な説明】
【０００１】
【産業上の利用分野】
この発明はファクシミリ装置に関し、特に記録紙が、縦または横のいずれの方向にセットされていても、該方向とは異なる方向の同サイズまたは該サイズより小さい原稿情報を受信することができるようにしたファクシミリ装置に関する。
【０００２】
【従来の技術】
従来のファクシミリ通信においては、送信局から着信があると、受信局のファクシミリ装置はＤＩＳ（デジタル識別信号）により、ＩＴＵ−Ｔ−Ｇ３規格に適合していることを示すと共に、ＮＳＦ（非標準装置）によりＩＴＵ−Ｔ−Ｇ３規格以外の機能も保有していることを送信局に通知する。前記ＤＩＳでは、他社機あるいは自社機に対して、規定のサイズの記録紙（Ａ３縦、Ｂ４縦、およびＡ４縦）がセットされていることを宣言する。一方、ＮＳＦでは、自社機に対して、受信できる記録紙のサイズを独自に宣言する。
【０００３】
以上のプロトコルのコマンドにより、送信局は受信局が受信することができる原稿情報のサイズを知ることができ、原稿情報のサイズが受信能力宣言されたサイズより大きい場合には、必要に応じて縮小して送信することができるようになる。
【０００４】
しかしながら、送信原稿を縮小して送信すると、一般的に、受信原稿は非常に見ずらくなる。この問題を解決する提案が、例えば特開平３−１２５５６８号公報になされている。この提案によれば、例えばＡ３の原稿を縮小せずにＡ４のプリンタで受信する場合、まず通信手段により受信側のプリンタはＡ３サイズが受信可能であるとして通信を行う。送信側はＡ３サイズの幅のまま画像データを送ってくるので、受信側はＡ３サイズの画像データがＡ４サイズの画像分たまった時点で、印刷方向を変えて印刷する。続いて、Ａ３サイズ１枚分の画像データがたまった時点で、次の１枚の用紙に印刷方向を変えて印刷する。この結果、Ａ３サイズの原稿を縮小せずに、Ａ４サイズの２枚の記録用紙に印刷することができる。
【０００５】
【発明が解決しようとする課題】
しかしながら、前記した従来技術では、送信機側にセットされた原稿と受信機側でセットされた記録紙が、同サイズでありながら縦方向と横方向が逆の場合には、送信機側は該原稿情報を送信することができないという問題があった。例えば、受信機側にＡ４ＬＥＦのカセットのみがセットされている場合、送信機側はＡ４ＳＥＦの原稿を送ることができなかった。ここに、「ＬＥＦ」はロングエッジフィードを意味し、「ＳＥＦ」はショートエッジフィードを意味する。以下でも同様である。
【０００６】
この発明の目的は、前記した従来技術の問題点を除去し、送信原稿と受信機にセットされた受信用紙のサイズが同じでありながら方向が違う場合にも、送受信することのできるファクシミリ装置を提供することにある。
【０００７】
【課題を解決するための手段】
前記した目的を達成するために、請求項１の発明は、プロトコル上で受信能力宣言を行うファクシミリ装置において、セットされている記録紙の種類を検知する手段と、該検知された記録紙の縦、横逆方向を含めて受信可能な記録紙サイズとする受信能力データを作成する手段と、プロトコル中に前記受信能力データを取り込み、受信能力宣言を行う手段とを具備した点に特徴がある。
【０００８】
また、請求項２の発明は、受信した画像データの方向とセットされている記録紙の方向が一致しているか否かを判断する手段と、不一致であると判断された時に、前記画像データを９０°回転する手段と、該画像データを記録紙に記録する手段とを具備した点に特徴がある。
【０００９】
【作用】
請求項１の発明によれば、検知された記録紙の種類がある用紙サイズの縦方向であれば、該用紙サイズの横方向も受信可能と宣言され、逆に、検知された記録紙の種類がある用紙サイズの横方向であれば、該用紙サイズの縦方向も受信可能と宣言される。このため、従来は、受信能力宣言がされないがために受信できなかった、記録紙と縦、横逆方向の原稿情報を受信することができるようになる。
【００１０】
また、請求項２の発明によれば、請求項１の受信能力宣言によって受信された画像データを、該画像データの方向と逆方向の同サイズの用紙に記録することができるようになる。
【００１１】
【実施例】
以下に、図面を参照して、本発明を詳細に説明する。図４は本発明が適用されるファクシミリ装置の外観正面図、図５はそのハード構成を示すブロック図である。図５中、太線はデータ線を示し、細線は制御線を示す。
【００１２】
図４において、１は画像読取り部、２は画像送受信部、３は記録紙排出トレイである。この画像送受信部２は、複数のサイズの記録紙を同時にセットできる４段のトレイ２ａ〜２ｄを有している。この４段のトレイには、例えば、Ａ３ＳＥＦ、Ａ４ＳＥＦ、Ａ４ＬＥＦ等の用紙カセットをセットすることができる。
【００１３】
次に、図５のブロック図を参照して、原稿情報を送受信する動作を説明する。原稿情報を送信する場合には、１枚または複数枚の原稿が画像読取り部１１にセットされる。その後、操作部１２から相手先ダイヤル番号、読取り倍率あるいは読取りサイズ等の設定がなされ、スタート起動がかけられる。該操作部１２からなされた各種の設定情報やスタート起動信号は、全体の動作の制御を行っているＣＰＵ１３がプログラムＲＯＭ１４に書かれたプログラムによって解析し、各部の動作の詳細が決定される。ＲＡＭ１５は前記プログラムに従って各部の動作を決定する上で必要な作業用のメモリである。
【００１４】
決定された動作モードやスタートの指示は、ＣＰＵ１３によって、画像読取り部１１と符号器１６に伝えられる。画像読取り部１１は操作部１２から設定された設定情報に従って原稿を読み取る。読み取られた原稿情報は符号器１６に転送され、該符号器１６にて順次圧縮符号化される。圧縮符号化されたデータは、順次データバスを経て画像記憶部１７に蓄えられる。該画像記憶部１７はＤＲＡＭやハードデイスク等の大容量の記憶部から構成されている。画像記憶部１７に蓄えられた１ページまたは複数ページの画像は、モデム１８で変調された後、回線制御部１９および公衆回線を経て相手側のファクシミリ装置に送られる。
【００１５】
次に、原稿情報を受信する場合の動作を説明する。回線制御部１９を経て受信された画像データは、モデム１８で復調され、一旦画像記憶部１７に順次蓄えられる。画像記憶部１７に蓄積された１ページまたは複数ページの画像データは復号器２０に転送される。該復号器２０は転送されてきた画像データを順次非圧縮復号化する。復元された画像データは画像記録部２１に送られ、記録紙に記録される。なお、画像データを回転して記録する場合は、前記復号器２０で復元された画像データを画像回転部２２に送り、指示された角度だけ回転する処理をした後、画像記録部２１に送る。
【００１６】
図１は本発明の一実施例の要部の機能を示すブロック図である。図において、２ａ〜２ｄは図４の記録紙トレイ、５は装着されているトレイの種類を検知するトレイ種類検知部である。６は該トレイ種類検知部５からの信号に基づいて受信能力のデータを作成する受信能力データ作成部であり、例えば縦方向の記録紙トレイが装着されていた場合には同サイズの横方向の画像データも受信能力ありというデータを作成し、その逆の場合も同様のデータを作成する。７はプロトコル実行部である。該プロトコル実行部７は、受信能力データ作成部６から受け取った受信能力データを、対他社機の場合にはＤＩＳに書込み、対自社機の場合にはＮＳＦに書込む。なお、前記トレイ種類検知部５、受信能力データ作成部６およびプロトコル実行部７は、図５のＣＰＵ１３およびプログラムＲＯＭ１４に相当する。
【００１７】
次に、本実施例の動作を説明する。トレイ種類検知部５は周知の方法により、画像送受信部２に装着されている記録紙トレイの種類が、例えばＡ３ＳＥＦ、Ｂ４ＳＥＦ、Ａ４ＬＥＦ、Ｂ５ＬＥＦ等の一つまたは複数であるかを検知する。受信能力データ作成部６は装着されている記録紙トレイの種類を受け取ると、図２および図３に示されている規則に従って、受信能力宣言データを作成する。図２は相手機が他社機の場合の一例を示し、図３は相手機が自社機の場合の一例を示している。
【００１８】
対他社機の場合には、ＩＴＵ−Ｔ−Ｇ３規格により、Ａ３ＳＥＦ、Ｂ４ＳＥＦ、およびＡ４ＳＥＦの３種類しか受信能力宣言をすることができないので、従来は、図２に示されているように、例えばＡ４ＬＥＦの記録紙トレイしか装着されていない場合には、受信能力を宣言することができなかった。このため、送信側は原稿情報を送信することができなかったが、本実施例では、この場合、Ａ４ＳＥＦの受信能力宣言をするので、送信側はＡ４ＳＥＦの原稿情報を送信することが可能になる。
【００１９】
次に、対自社機の場合には、図３に示されているように、Ａ４ＬＥＦ、Ｂ５ＬＥＦ、Ａ５ＬＥＦ、Ａ４ＳＥＦ、Ｂ５ＳＥＦ、Ａ５ＳＥＦのいずれか一つあるいは複数が装着されていると、それぞれ同サイズの９０°回転した方向の受信能力もありと決定する。
【００２０】
以上のようにして受信能力データ作成部６にて受信能力が決定されると、該受信能力はプロトコル実行部７に送られ、プロトコル上のＤＩＳまたはＮＳＦコマンドに反映される。プロトコル実行部７はこれらのコマンドにより、受信能力の宣言を送信機に対して行う。
【００２１】
なお、前記の説明では、記録紙の種類（サイズと向き）を記録紙トレイにより判別するようにしたが、本発明はこれに限定されず、何らかのセンサを用いて記録紙の種類を検出するようにしてもよい。
【００２２】
次に、前記受信能力宣言に基づいて送信機から送られてきた画像データは、受信側ファクシミリ装置の画像記憶部１７（図５参照）に一旦記憶される。その後、受信した画像データの方向とセットされている記録紙の方向とがＣＰＵ１３によって比較され、異なる場合には、画像記憶部１７から読み出され、復号器２０で復元された画像データは、画像回転部２２に送られる。画像回転部２２では、画像データを９０°回転する処理をした後、画像記録部２１に送る。この結果、送信機から読み込まれる原稿と同サイズ、同方向の記録紙トレイが受信側ファクシミリ装置に装着されていなくても、送受信することが可能になり、ユーザの操作性を大きく向上することができるようになる。
【００２３】
図６は前記９０°回転処理の一方法を示す図であり、画像回転部１２であるメモリに同図（ａ）  に示されているように、番地（０，０）から（０，Ｙ）に向けて書込む。次いで、同図（ｂ）  に示されているように、番地（０，Ｙ）から（Ｘ，Ｙ）に向けて読み出す。この処理により、画像データを９０°回転することができる。
【００２４】
【発明の効果】
請求項１の発明によれば、ある方向の記録紙がセットされている場合、これと逆方向の同サイズの記録紙も受信可能と受信能力宣言されるので、送信側は受信側に該当する記録紙がセットされていないという理由で送信することができなくなる可能性を低減し、操作性を向上することができる。
【００２５】
また、請求項２の発明によれば、本発明による受信能力宣言により受信した画像データを、何ら支障なくプリントアウトすることができるようになる。
【図面の簡単な説明】
【図１】本発明の一実施例の要部の機能を示すブロック図である。
【図２】対他社機の場合の受信能力宣言の一例を示す図である。
【図３】対自社機の場合の受信能力宣言の一例を示す図である。
【図４】本発明が適用されるファクシミリ装置の外観正面図である。
【図５】本発明が適用されるファクシミリ装置のハード構成の概要を示すブロック図である。
【図６】画像データの９０°回転処理の一手法を示す説明図である。
【符号の説明】
１…画像読み取り部、２…画像送受信部、２ａ〜２ｄ…記録紙トレイ、５…トレイ種類検知部、６…受信能力データ作成部、７…プロトコル実行部。
【図１】
0003586914.tif 000002
【図４】
0003586914.tif 000003
【図２】
0003586914.tif 000004
【図３】
0003586914.tif 000005
【図５】
0003586914.tif 000006
【図６】
0003586914.tif 000007